(57)【特許請求の範囲】
【請求項１】
トラックの箱形荷台を上下に仕切るテーブル本体に、トラックの箱形荷台の約半分の高さの脚を折畳み自在に設ける荷物載せ台において、矩形のテーブル本体の対向する側部に脚ホルダを固定させ、互に連通させる遊嵌孔と係合孔を脚ホルダに設け、遊嵌孔または係合孔に移動可能なキー部材を脚の上部に設けると共に、遊嵌孔にキー部材を内挿時に脚を折畳み方向に移動させる脚引張り部材を脚下端部に連結させたことを特徴とする荷物載せ台。
【請求項２】
係合孔にキー部材を係入固定させる脚起立保持用のワンタッチ式ロック部材をテーブル本体と脚間に介設させたことを特徴とする請求項１記載の荷物載せ台。
【発明の詳細な説明】
【技術分野】
【０００１】
本発明は、トラックの箱形荷台またはコンテナ等を上下に仕切って荷台空間を有効に活用する荷物載せ台に関する。
【背景技術】
【０００２】
従来、荷物を多段に積載させる技術がある。（例えば特許文献１参照）
【０００３】
【特許文献１】特公平８−１８５０８号公報
【発明の開示】
【発明が解決しようとする課題】
【０００４】
前記従来技術は、上下多段に荷物を載せることができるが、トラックの荷台に支柱（脚）を固定させ、上下段アーム（テーブル本体）を昇降シリンダによって上下に移動させるから、前記の支柱及びアームの折畳または分解などを容易に行い得ず、例えば往路で軽量貨物を二段積み運搬しかつ復路で重量物を一段積み運搬する作業などを容易に行い得ない等の問題がある。
【課題を解決するための手段】
【０００５】
そこで本発明は、請求項１の如く、トラックの箱形荷台を上下に仕切るテーブル本体に、トラックの箱形荷台の約半分の高さの脚を折畳み自在に設ける荷物載せ台において、矩形のテーブル本体の対向する側部に脚ホルダを固定させ、互に連通させる遊嵌孔と係合孔を脚ホルダに設け、遊嵌孔または係合孔に移動可能なキー部材を脚の上部に設けると共に、遊嵌孔にキー部材を内挿時に脚を折畳み方向に移動させる脚引張り部材を脚下端部に連結させたものである。
【０００６】
また、請求項２の如く、係合孔にキー部材を係入固定させる脚起立保持用のワンタッチ式ロック部材をテーブル本体と脚間に介設させたものである。
【発明の効果】
【０００７】
然るに、本発明は、トラックの箱形荷台を上下に仕切るテーブル本体に、トラックの箱形荷台の約半分の高さの脚を折畳み自在に設ける荷物載せ台において、矩形のテーブル本体の対向する側部に脚ホルダを固定させ、互に連通させる遊嵌孔と係合孔を脚ホルダに設け、遊嵌孔または係合孔に移動可能なキー部材を脚の上部に設けると共に、遊嵌孔にキー部材を内挿時に脚を折畳み方向に移動させる脚引張り部材を脚下端部に連結させたもので、脚の横倒しによってテーブル本体を低くし得、貨物に合わせてテーブル本体を高くしたり低くして各種の貨物を効率良く運搬し得ると共に、脚の横倒しを地上より容易に可能とさせるものである。
【０００８】
また、請求項２の如く、係合孔にキー部材を係入固定させる脚起立保持用のワンタッチ式ロック部材をテーブル本体と脚間に介設させたもので、フォークリフトカーのフォークを用いてテーブル本体を持上げたり降ろして、脚を起立させたり倒状させる作業を容易に行い得ると共に、脚の起立時には正確な起立姿勢を安定保持させるものである。
【発明を実施するための最良の形態】
【０００９】
以下、本発明の実施例を図面に基づいて詳述する。図１は全体の正面図であり、四角パイプで形成する格子形のテーブル本体１と、平面視矩形のテーブル本体１の対向する側部下面に固定させる脚ホルダ２と、脚ホルダ２に折畳み自在に設ける脚３とを備えるもので、図２、図３のように、フォークリフトカーのフォーク４によってテーブル本体１を支えて脚３を起立または倒状させ、図３の状態でテーブル本体１と脚３の間に木材製のスペーサ５を挾んでフォーク４を出入させる空間６を形成する。
【００１０】
さらに、図４、図５に示す如く、横フレーム７と二組４本の縦フレーム８と上下２本の補強フレーム９によって脚３を構成し、端面が楕円形の平板形のキー部材１０を縦フレーム８の上端に固定させ、キー部材１０の長手方向と略同一直径の円形の遊嵌孔１１と、キー部材１０の端面と略同一大きさの長孔形の係合孔１２とを脚ホルダ２に開設させ、遊嵌孔１１上部と係合孔１２下部を連通させて各孔１１・１２間で移動自在にキー部材１０を内挿させ、係合孔１２にキー部材１０を係入させて縦フレーム８を起立姿勢でホルダ２に固定させ、テーブル本体１を縦フレーム８によって所定高さに支える一方、フォーク４によってテーブル本体１を持ち上げることにより、キー部材１０が遊嵌孔１１に移動し、キー部材１０を支点に縦フレーム８が回転して倒状する。なお、図３のように、縦フレーム８が倒状しているとき、フォーク４によってテーブル本体１を持上げることによって縦フレーム８が垂直方向に回転し、次いでテーブル本体１の下降によって係合孔１２にキー部材１０が係入する。
【００１１】
また、図６・図７のように、脚３の横フレーム７側面に軸１６の両端部を固定させ、横フレーム７側面の切欠１７を介して軸１６の中間に丸パイプローラ形の輪体１８を回転自在に軸支させ、図２、図３のように、脚３が倒状姿勢のときに輪体１８を床面上に転動させ、脚３の起状動作をスムーズに行わせる。なお、複数のテーブル本体１を並設させるとき、隣り合う脚３の補強フレーム９をボルト孔１９を介してボルト止め固定させ、脚３を連結させて複数のテーブル本体を連設させる。
【００１２】
さらに、図４のように、テーブル本体１と上補強フレーム９との間に脚起立保持用のワンタッチ式ロック部材１３を設けるもので、上補強フレーム９の上部取付台１４にロック部材１３の１つであるパッチン錠１３ａを取付けると共に、パッチン錠１３ａの係止輪体１３ｂを係合させるフック１５をテーブル本体１下面に固設させて、キー部材１０を係合孔１２に係入させた状態でフック１５にパッチン錠１３ａを係合させるとき、脚３を垂直姿勢で起立保持させる。
【００１３】
そして、左右縦フレーム８の下端部でトラック２０の箱形荷台２１の荷物積み降ろし側に係止金具２２を固定させ、紐或いはワイヤなどの引張り部材２３先端に固定させる抜止付フック２４を係止金具２２に係合させ、図１のようにテーブル本体１の下面略中央に回転板２５を介し方向自在に配設させる滑車２６に引張り部材２３中間を巻回させ、引張り部材２３の他端の引張り操作部材２３ａを荷台２１側方まで臨ませて、脚３の起立状態でフォーク４によりテーブル本体１を若干持上げてキー部材１０を遊嵌孔１１に移動させるとき、引張り部材２３を引張って脚３を内方向に傾け、以後はテーブル本体１の自重により脚３を折畳みさせるように構成している。
【００１４】
なお、上述実施例ではテーブル本体１に滑車２６を設ける構成を示したが、図９のように左右縦フレーム８の係止金具２２間を１本或いは２本の引張り部材２３で直接的に連結させ、引張り部材２３中央に連結させる１本の紐など引張り操作部材２３の引張りでもって脚３を傾けるようにしても良い。
【００１５】
なおこのような引張り部材２３は必要時のみに取付け、運搬時や貨物２７・２８積み降ろし時には適宜取外すものである。
【００１６】
本実施例は上記の如く構成するものにして、図８のように、脚３を起立させてテーブル本体１を高位置に設け、荷台２１をテーブル本体１によって上下に仕切り、荷台２１床面とテーブル本体１上面との２段に軽い貨物２２を積み、荷台２１を有効に利用すると共に、脚３を倒してテーブル本体１を荷台２１床面の低い位置に設け、重い貨物２８または高い貨物をテーブル本体１上面に積むもので、貨物２７・２８を荷台２１側面からフォークリフトカーによって出入させると共に、同じフォークリフトカーを用いてテーブル本体１の上げ降しを行う。
【００１７】
上記からも明らかなように、トラック２０の箱形荷台２１を上下に仕切るテーブル本体１に、トラック２０の箱形荷台２１の約半分の高さの脚３を折畳み自在に設ける荷物載せ台において、矩形のテーブル本体１の対向する側部に脚ホルダ２を固定させ、互に連通させる遊嵌孔１１と係合孔１２を脚ホルダ２に設け、遊嵌孔１１または係合孔１２に移動可能なキー部材１０を脚３の上部に設けると共に、遊嵌孔１１にキー部材１０を内挿時に脚３を折畳み方向に移動させる脚引張り部材２３を脚３下端部に連結させたもので、脚３の横倒しによってテーブル本体１を低くすることができ、貨物２７・２８に合わせてテーブル本体１を高くしたり低くして各種の貨物２７・２８を効率良く運搬することができると共に、脚３の横倒しを地上より容易に可能とさせることができて、テーブル本体１を高低させる作業の作業性を向上させることができる。
【００１８】
また、係合孔１２にキー部材１０を係入固定させる脚起立保持用のワンタッチ式ロック部材１３をテーブル本体１と脚３間に介設させたもので、フォークリフトカーのフォーク４を用いてテーブル本体１を持上げたり降ろして、脚３を起立させたり倒状させる作業を容易に行うことができると共に、脚３の起立時には正確な起立姿勢を安定保持させることができる。
【図面の簡単な説明】
【００１９】
【図１】全体の正面図。
【図２】折畳み途中の説明図。
【図３】折畳み説明図。
【図４】脚の説明図。
【図５】脚ホルダ部の拡大図。
【図６】輪体部の拡大図。
【図７】同断面図。
【図８】使用説明図。
【図９】引張り部材の取付説明図。
【符号の説明】
【００２０】
１    テーブル本体
２    脚ホルダ
３    脚
１０  キー部材
１１  遊嵌孔
１２  係合孔
１３  ロック部材（パッチン錠）
２０  トラック
２１  荷台
２３  引張り部材（紐）
【図１】
0003689712.tif 000002
【図２】
0003689712.tif 000003
【図３】
0003689712.tif 000004
【図４】
0003689712.tif 000005
【図５】
0003689712.tif 000006
【図６】
0003689712.tif 000007
【図７】
0003689712.tif 000008
【図８】
0003689712.tif 000009
【図９】
0003689712.tif 000010